(57)【要約】【課題】被搬送物を支持する支持面に光の透過を許容する光透過部を設けた場合でも、支持面での被搬送物の姿勢を安定させることが可能な搬送装置及び記録装置を提供する。【解決手段】搬送装置は、連続紙Ｐを搬送する搬送部と、搬送部によって搬送される連続紙Ｐを支持する支持面１９と、支持面１９に支持される連続紙Ｐを吸引するために支持面１９に開口した第１吸引孔４１と、支持面１９に露出し、光の透過を許容する検出窓３１と、支持面１９に支持される連続紙Ｐに検出窓３１を介して光を照射可能な光照射部３４を有し、光照射部３４から連続紙Ｐに光を照射した際の反射光に基づき連続紙Ｐの搬送量を検出する撮像ユニット２６と、支持面１９における連続紙Ｐの搬送方向Ｙに検出窓３１を挟んだ両側の隣り合う位置に開口した第２吸引孔４２とを備えた。【選択図】図２
2014094500.tif 000002
【特許請求の範囲】
【請求項１】
被搬送物を搬送する搬送部と、
前記搬送部によって搬送される前記被搬送物を支持する支持面と、
前記支持面に支持される前記被搬送物を吸引するために前記支持面に開口した第１吸引孔と、
前記支持面に露出し、光の透過を許容する光透過部と、
前記支持面に支持される前記被搬送物に前記光透過部を介して光を照射可能な光照射部を有し、前記光照射部から前記被搬送物に光を照射した際の反射光に基づき前記被搬送物の搬送量を検出する検出部と、
前記支持面における前記被搬送物の搬送方向に前記光透過部を挟んだ両側の隣り合う位置のうち少なくとも一方に開口した第２吸引孔と
を備えたことを特徴とする搬送装置。
【請求項２】
前記第２吸引孔は、前記支持面における前記被搬送物の搬送方向に前記光透過部を挟んだ両側の隣り合う位置にそれぞれ開口していることを特徴とする請求項１に記載の搬送装置。
【請求項３】
前記第２吸引孔は、前記支持面に支持される前記被搬送物が当該第２吸引孔から吸引される方向において前記検出部と対向していることを特徴とする請求項１または請求項２に記載の搬送装置。
【請求項４】
前記光照射部は、前記検出部における前記第２吸引孔側の端部に配置されていることを特徴とする請求項３に記載の搬送装置。
【請求項５】
請求項１〜請求項４のうちいずれか一項に記載の搬送装置と、
前記搬送装置によって搬送される前記被搬送物に対して記録処理を行う記録部と
を備えたことを特徴とする記録装置。
【発明の詳細な説明】
【技術分野】
【０００１】
本発明は、例えば印刷などに用いられる用紙等の被搬送物を搬送する搬送装置及び当該搬送装置を備えた記録装置に関する。
【背景技術】
【０００２】
従来から、記録装置の一種として、記録ヘッド（記録部）からインクを用紙（被搬送物）に噴射して画像を形成するインクジェット式プリンターが知られている（例えば、特許文献１）。この特許文献１のようなプリンターでは、用紙が搬送される記録媒体搬送面（支持面）に複数の吸引孔（第１吸引孔）が設けられ、各吸引孔から用紙を吸引して記録媒体搬送面上に吸着している。そして、記録媒体搬送面上に用紙を吸着した状態で、当該用紙に記録ヘッドからインクを噴射することで印刷が行われる。
【０００３】
また、上述のようなプリンターの中には、記録媒体搬送面上を搬送される用紙の搬送量を検出するための撮像装置（検出部）を備えたものがある。そして、こうしたプリンターでは、撮像装置により、記録媒体搬送面上を搬送される用紙の表面性状を連続的な画像として撮像し、その撮像した前後２枚の画像を時系列的に比較して各画像中の着目パターンの移動量を演算し、その移動量を積算することにより用紙の搬送量を算出するようにしている。
【先行技術文献】
【特許文献】
【０００４】
【特許文献１】特開２００３−２８５４８０号公報
【発明の概要】
【発明が解決しようとする課題】
【０００５】
ところで、上述のような撮像装置を備えたプリンターでは、記録媒体搬送面上を搬送される用紙を非印刷面側（裏側）から撮像するための窓（光透過部）を記録媒体搬送面に設ける必要がある。このため、記録媒体搬送面における窓が設けられた領域には、吸引孔を設けることができない。この結果、記録媒体搬送面における窓が設けられた領域では、用紙の記録媒体搬送面に対する吸着力が弱まるため、記録媒体搬送面上での用紙の姿勢が不安定になってしまうという問題がある。
【０００６】
本発明は、このような従来技術に存在する問題点に着目してなされたものである。その目的とするところは、被搬送物を支持する支持面に光の透過を許容する光透過部を設けた場合でも、支持面での被搬送物の姿勢を安定させることが可能な搬送装置及び記録装置を提供することにある。
【課題を解決するための手段】
【０００７】
以下、上記課題を解決するための手段及びその作用効果について記載する。
上記課題を解決する搬送装置は、被搬送物を搬送する搬送部と、前記搬送部によって搬送される前記被搬送物を支持する支持面と、前記支持面に支持される前記被搬送物を吸引するために前記支持面に開口した第１吸引孔と、前記支持面に露出し、光の透過を許容する光透過部と、前記支持面に支持される前記被搬送物に前記光透過部を介して光を照射可能な光照射部を有し、前記光照射部から前記被搬送物に光を照射した際の反射光に基づき前記被搬送物の搬送量を検出する検出部と、前記支持面における前記被搬送物の搬送方向に前記光透過部を挟んだ両側の隣り合う位置のうち少なくとも一方に開口した第２吸引孔とを備えた。
【０００８】
この構成によれば、第２吸引孔から被搬送物が吸引されることで、光透過部上であっても被搬送物の吸着力が確保される。したがって、被搬送物を支持する支持面に光の透過を許容する光透過部を設けた場合でも、支持面での被搬送物の姿勢を安定させることが可能となる。
【０００９】
上記搬送装置において、前記第２吸引孔は、前記支持面における前記被搬送物の搬送方向に前記光透過部を挟んだ両側の隣り合う位置にそれぞれ開口していることが好ましい。
この構成によれば、第２吸引孔から被搬送物が吸引されることで、光透過部上であっても被搬送物の吸着力が十分に確保される。したがって、被搬送物を支持する支持面に光の透過を許容する光透過部を設けた場合でも、支持面での被搬送物の姿勢を十分に安定させることが可能となる。
【００１０】
上記搬送装置において、前記第２吸引孔は、前記支持面に支持される前記被搬送物が当該第２吸引孔から吸引される方向において前記検出部と対向していることが好ましい。
この構成によれば、第２吸引孔から被搬送物を吸引する際に発生する風（空気流）が検出部に当たるので、検出部を空気冷却することが可能となる。
【００１１】
上記搬送装置において、前記光照射部は、前記検出部における前記第２吸引孔側の端部に配置されていることが好ましい。
この構成によれば、第２吸引孔から被搬送物を吸引する際に発生する風（空気流）によって、特に検出部における光照射部を冷却することが可能となる。
【００１２】
上記課題を解決する記録装置は、上記構成の搬送装置と、前記搬送装置によって搬送される前記被搬送物に対して記録処理を行う記録部とを備えた。
この構成によれば、上記搬送装置と同様の作用効果を得ることが可能となる。
【図面の簡単な説明】
【００１３】
【図１】一実施形態のインクジェット式プリンターの概略構成図。
【図２】同プリンターの撮像ユニットの断面模式図。
【図３】同プリンターの支持部材の平面模式図。
【発明を実施するための形態】
【００１４】
以下、記録装置をインクジェット式プリンターに具体化した一実施形態を図面に従って説明する。
図１に示すように、記録装置の一例としてのインクジェット式プリンター１１は、被搬送物の一例としての長尺シート状の連続紙Ｐを搬送する搬送装置１２と、搬送装置１２によって搬送される連続紙Ｐに対してインク（液体）を噴射して印刷（記録処理）を行う記録部の一例としての記録ヘッド１３とを備えている。搬送装置１２は、連続紙Ｐを繰り出す繰出部１４と、繰出部１４から繰り出されて記録ヘッド１３によって印刷が行われた連続紙Ｐを巻き取る巻取部１５とを備えている。
【００１５】
すなわち、図１では、連続紙Ｐにおける搬送方向Ｙ（図１では右方向）の上流側となる左側の位置に繰出部１４が配置される一方、下流側となる右側の位置に巻取部１５が配置されている。そして、繰出部１４と巻取部１５との間の位置に、記録ヘッド１３が連続紙Ｐの搬送経路と対向するように配置されている。記録ヘッド１３における連続紙Ｐの搬送経路と対向する面には、搬送される連続紙Ｐにインクを噴射するための複数のノズル１３ａが形成されている。
【００１６】
また、記録ヘッド１３に対して連続紙Ｐの搬送経路を挟んで対向する位置には、連続紙Ｐを支持する支持部材１６が配置されている。支持部材１６は、記録ヘッド１３側とは反対側となる下面側に開口部１７を有する有底四角箱状をなしている。支持部材１６の下面には、支持部材１６の内部を吸引する吸引ファン１８が開口部１７を塞ぐように設けられている。そして、支持部材１６における記録ヘッド１３との対向面は、搬送される連続紙Ｐを支持する水平な支持面１９とされている。
【００１７】
図１に示すように、繰出部１４には、連続紙Ｐの搬送方向Ｙと直交する連続紙Ｐの幅方向Ｘ（図１では紙面と直交する方向）に延びる繰出軸２０が回転駆動可能に設けられている。繰出軸２０には、連続紙Ｐが予めロール状に巻かれた状態で繰出軸２０と一体回転可能に支持されている。そして、繰出軸２０が回転駆動することで、繰出軸２０から連続紙Ｐがその搬送経路の下流側に向かって繰り出される。
【００１８】
繰出軸２０の右斜め上方には、繰出軸２０から繰り出された連続紙Ｐを巻き掛けて記録ヘッド１３側へ導くための第１中継ローラー２１が回転可能に配置されている。連続紙Ｐの搬送経路における第１中継ローラー２１の下流側には、回転駆動することで第１中継ローラー２１側から搬送される連続紙Ｐを挟持しながら支持面１９上へ導く給紙ローラー対２２が配置されている。
【００１９】
連続紙Ｐの搬送経路における支持面１９の下流側には、回転駆動することで連続紙Ｐにおける印刷済みの領域を支持面１９上から連続紙Ｐの搬送経路の下流側へ連続紙Ｐを挟持しながら導く排紙ローラー対２３が配置されている。連続紙Ｐの搬送経路における排紙ローラー対２３の下流側には、排紙ローラー対２３側から搬送される連続紙Ｐを巻き掛けて巻取部１５へ導くための第２中継ローラー２４が回転可能に配置されている。巻取部１５は、第２中継ローラー２４の右斜め下方に位置している。
【００２０】
巻取部１５には、連続紙Ｐの搬送方向Ｙと直交する連続紙Ｐの幅方向Ｘに延びる巻取軸２５が回転駆動可能に設けられている。そして、巻取軸２５が回転駆動することで、第２中継ローラー２４側から搬送される印刷済みの連続紙Ｐが巻取軸２５によって順次巻き取られる。
【００２１】
図１及び図２に示すように、支持面１９の中央部には支持部材１６の内外を貫通する貫通孔１６ａが形成されている。そして、支持部材１６には、連続紙Ｐの搬送量を非接触に検出するための検出部の一例としての撮像ユニット２６が、貫通孔１６ａに上端部が挿入された状態で固定されている。この場合、撮像ユニット２６は、支持部材１６の内部に配置されている。撮像ユニット２６は、撮像ユニット２６全体の制御を行う図示しない制御回路を有している。
【００２２】
なお、本実施形態では、給紙ローラー対２２と排紙ローラー対２３とによって、連続紙Ｐを搬送する搬送部が構成されている。
次に、撮像ユニット２６の構成について詳述する。
【００２３】
図２に示すように、撮像ユニット２６は、有底四角筒状をなすケース３０を備えている。ケース３０の上部は、上端に向かうほど幅狭となるテーパー状になっている。ケース３０は、その上端部が支持部材１６に形成された貫通孔１６ａに支持部材１６の内側から挿入された状態で図示しない固定部に固定されている。この場合、ケース３０の上端は、支持部材１６の支持面１９と面一になっている。
【００２４】
ケース３０の上端の矩形状の開口部は支持面１９に露出する検出窓３１とされ、検出窓３１には光の透過を許容する無色透明の透光ガラス３２が嵌め込まれている。そして、本実施形態では、検出窓３１と透光ガラス３２とによって光透過部が構成されている。透光ガラス３２の上面は、支持面１９よりも僅かに低い位置に配置されている。
【００２５】
すなわち、図２に示すように、透光ガラス３２は、支持面１９上を搬送される連続紙Ｐとの間に僅かな隙間を介在させた状態で上下に対向するように配置されている。したがって、透光ガラス３２は、連続紙Ｐに対して接触し難い。このため、連続紙Ｐが搬送される際、連続紙Ｐには透光ガラス３２との接触による擦り傷等が付き難くなる。
【００２６】
また、透光ガラス３２の上面は、支持面１９と同じ高さであってもよいし、支持面１９よりも僅かに高い位置であってもよい。この場合、透光ガラス３２の上面と支持面１９との高さの違いによる段差が生じないか、段差が生じても支持面１９の方が透光ガラス３２の上面よりも低くなる。したがって、透光ガラス３２の上面部分に紙粉等の汚れ（ごみ）が溜まり難くなるので、撮像ユニット２６の検出感度が低下し難くなる。
【００２７】
また、ケース３０の上端部の内周面における連続紙Ｐの幅方向Ｘの一方側には、矩形状の支持板３３が設けられている。支持板３３における検出窓３１側の面である取付面３３ａには、光照射部３４が取り付けられている。
【００２８】
光照射部３４は、本実施形態では発光ダイオード（ＬＥＤ）によって構成され、支持面１９上を搬送される連続紙Ｐに対して印刷面とは反対側の下面側（非印刷面側）から透光ガラス３２越しに光を照射する。この場合、光照射部３４は、幅方向Ｘ側から光が連続紙Ｐの下面（非印刷面）に対して斜めに照射されるように配置される。
【００２９】
ケース３０内における連続紙Ｐに対して光照射部３４よりも遠い位置、すなわちケース３０内における光照射部３４よりも下側の位置には、光学部材の一例としての集光レンズ３５が設けられている。集光レンズ３５は、保持部材３６を介してケース３０の内周面に保持され、光照射部３４から出射されて透光ガラス３２を透過した光が連続紙Ｐの下面で反射した後に再び透光ガラス３２を透過してケース３０内に入射した反射光を集光させる。
【００３０】
さらに、ケース３０内における連続紙Ｐに対して集光レンズ３５よりも遠い位置、すなわちケース３０の内底面上には、集光レンズ３５により集光された連続紙Ｐの下面の像が結像される撮像面３７ａを有する撮像素子３７が設けられている。撮像素子３７は、例えば２次元イメージセンサーにより構成される。
【００３１】
また、集光レンズ３５は、撮像素子３７の撮像面３７ａ上に連続紙Ｐの下面の像が結像され得る高さに、保持部材３６を介してケース３０の内周面に保持されている。この場合、集光レンズ３５は、その光軸が検出窓３１の中心及び撮像面３７ａの中心を通るように配置される。
【００３２】
そして、撮像ユニット２６は、光照射部３４から連続紙Ｐに照射した際の反射光に基づいて支持面１９によって支持される連続紙Ｐの下面のテクスチャー（紙面模様）を撮像し、一定の時間間隔で撮像された前後２枚の画像を比較することにより、連続紙Ｐの単位時間当たりの搬送量を算出する。すなわち、撮像ユニット２６は、光照射部３４から連続紙Ｐに光を照射した際の反射光に基づき連続紙Ｐの搬送量を検出する。
【００３３】
次に、支持部材１６の構成について詳述する。
図２及び図３に示すように、支持部材１６の支持面１９には、連続紙Ｐの搬送方向Ｙに長い矩形状の複数（本実施形態では８つ）の凹部４０が連続紙Ｐの幅方向Ｘに沿って互いに等間隔となるように形成されている。本実施形態では各凹部４０の深さが約１ｍｍに設定されている。各凹部４０のうち幅方向Ｘにおける中央に位置する隣り合う２つの凹部４０はそれぞれ中央凹部４０Ａとされている。
【００３４】
各中央凹部４０Ａは、支持面１９に露出する透光ガラス３２を避けるように、透光ガラス３２（検出窓３１）と対応する部分がそれぞれ幅方向Ｘに抉れている。各凹部４０の内底面における搬送方向Ｙの両端部には、支持面１９に支持される連続紙Ｐを吸引するための第１吸引孔４１がそれぞれ支持部材１６の内外を貫通するように形成されている。
【００３５】
さらに、支持面１９における各凹部４０に対して下流側で隣り合うそれぞれの位置には、搬送方向Ｙに並ぶ２つの第１吸引孔４１がそれぞれ支持部材１６の内外を貫通するように形成されている。したがって、各第１吸引孔４１は、支持面１９に開口していると言える。また、支持面１９における連続紙Ｐの搬送方向Ｙに透光ガラス３２を挟んだ両側の隣り合う位置であって各中央凹部４０Ａ間の位置には、第１吸引孔４１よりも径の小さい第２吸引孔４２が１つずつ支持部材１６の内外を貫通するように形成されている。
【００３６】
したがって、各第２吸引孔４２は、支持面１９に開口していると言える。この場合、連続紙Ｐの搬送方向Ｙにおける各第２吸引孔４２の間隔は、連続紙Ｐの搬送方向Ｙにおける各凹部４０内の各第１吸引孔４１の間隔よりも狭くなっている。さらにこの場合、連続紙Ｐの搬送方向Ｙにおける各第２吸引孔４２間の距離は、連続紙Ｐの搬送方向Ｙにおける検出窓３１の幅よりも長く、且つ連続紙Ｐの幅方向Ｘにおける検出窓３１の幅よりも短くなっている。
【００３７】
そして、図１〜図３に示すように、吸引ファン１８を駆動すると、支持部材１６の内部が吸引されて負圧が発生し、この負圧により各第１吸引孔４１及び各第２吸引孔４２を介して支持面１９上を搬送される連続紙Ｐが吸引されて支持面１９に吸着される。したがって、本実施形態では、支持面１９上の連続紙Ｐが各第１吸引孔４１及び各第２吸引孔４２を介して吸引ファン１８によって吸引される方向が、重力方向（上から下に向かう方向）と一致している。なお、吸引される方向は、水平面に対する支持面１９の傾斜の度合いや、撮像ユニット２６、支持面１９、及び連続紙Ｐのそれぞれの位置関係などにより変化するため、重力方向に限らない。
【００３８】
また、図２及び図３に示すように、連続紙Ｐの搬送方向Ｙにおける各第２吸引孔４２の間隔は、連続紙Ｐの搬送方向Ｙにおける撮像ユニット２６の幅よりも狭くなっている。したがって、各第２吸引孔４２は、支持面１９上の連続紙Ｐが吸引ファン１８によって各第２吸引孔４２から吸引される方向において、撮像ユニット２６とそれぞれ対向している。なお、撮像ユニット２６の光照射部３４は、ケース３０内における各第２吸引孔４２側の端部である上端部に配置されている。
【００３９】
次に、上述のように構成されたインクジェット式プリンター１１の作用について説明する。
さて、図１〜図３に示すように、連続紙Ｐを印刷する場合には、吸引ファン１８を駆動した状態で、連続紙Ｐをその搬送経路に沿って上流側から下流側へと搬送する。すると、連続紙Ｐは、支持面１９上で各第１吸引孔４１及び各第２吸引孔４２を介して吸引ファン１８によって吸引されて支持面１９に吸着される。このとき、各第１吸引孔４１からの吸引によって各凹部４０内の空間にそれぞれ負圧が発生するため、これらの負圧によって連続紙Ｐが均一に支持面１９に吸着される。
【００４０】
ここで、通常、支持面１９における透光ガラス３２の露出する領域では、連続紙Ｐを吸引することができないため、当該領域において連続紙Ｐに作用する吸引ファン１８の吸引力が不足する。この結果、支持面１９上での連続紙Ｐの姿勢が不安定になってしまうという問題がある。
【００４１】
この点、本実施形態では透光ガラス３２と隣り合う位置に各第２吸引孔４２が設けられているため、支持面１９における透光ガラス３２の露出する領域において連続紙Ｐに作用する吸引ファン１８の吸引力が補われる。このため、透光ガラス３２上での連続紙Ｐの吸着力を十分に確保することができる。したがって、支持面１９上での連続紙Ｐの姿勢が安定するようになる。さらに、吸引ファン１８による各第２吸引孔４２からの吸引により、透光ガラス３２上に付着した紙粉や塵埃などが各第２吸引孔４２から吸引されて除去される。
【００４２】
そして、連続紙Ｐをその搬送経路に沿って上流側から下流側へと搬送しながら記録ヘッド１３の各ノズル１３ａから支持面１９に支持された連続紙Ｐに対してインクを噴射することで、連続紙Ｐの印刷がなされる。このとき、撮像ユニット２６は、支持面１９に支持された連続紙Ｐの搬送量を非接触で検出する。
【００４３】
そして、撮像ユニット２６によって連続紙Ｐの搬送量を検出する場合には、まず、光照射部３４から透光ガラス３２全体を通して連続紙Ｐの下面に光を照射する。すると、連続紙Ｐの下面に照射された光が連続紙Ｐの下面で反射し、その反射光が集光レンズ３５で集光されることにより、連続紙Ｐの下面の像（テクスチャーの像）が撮像面３７ａ上に結像される。
【００４４】
撮像面３７ａ上に結像された連続紙Ｐの下面の像は、撮像素子３７によって撮像される。そして、撮像素子３７によって一定の時間間隔で撮像された連続紙Ｐの下面の前後２枚の画像を比較することにより、連続紙Ｐの単位時間当たりの搬送量が算出（検出）される。このとき、撮像ユニット２６は、特に光照射部３４で生じる熱によって温度が上昇する。
【００４５】
しかしながら、本実施形態では、各第２吸引孔４２からの連続紙Ｐの吸引に伴って発生する風（空気流）が撮像ユニット２６に当たるため、この風によって冷却される。この場合、光照射部３４は撮像ユニット２６における各第２吸引孔４２側の端部に位置しているため、各第２吸引孔４２からの連続紙Ｐの吸引に伴って発生する風によって特に光照射部３４がケース３０を介して効果的に冷却される。したがって、発光ダイオード（ＬＥＤ）によって構成された光照射部３４の発熱による寿命の低下が抑制される。
【００４６】
以上、詳述した実施形態によれば以下の効果を得ることができる。
（１）搬送装置１２において、第２吸引孔４２は、支持面１９における連続紙Ｐの搬送方向Ｙに透光ガラス３２（検出窓３１）を挟んだ両側の隣り合う位置にそれぞれ開口している。このため、吸引ファン１８によって各第２吸引孔から連続紙Ｐが吸引されることで、透光ガラス３２上での連続紙Ｐの吸着力を十分に確保することができる。したがって、連続紙Ｐを支持する支持面１９に光の透過を許容する透光ガラス３２（検出窓３１）を設けた場合でも、支持面１９での連続紙Ｐの姿勢を十分に安定させることができる。加えて、吸引ファン１８によって各第２吸引孔から連続紙Ｐが吸引されることで、透光ガラス３２上に付着した紙粉や塵埃などを各第２吸引孔から吸引して除去することができる。
【００４７】
（２）搬送装置１２において、各第２吸引孔４２は、連続紙Ｐが吸引される方向（重力方向）において撮像ユニット２６と対向している。このため、各第２吸引孔４２から連続紙Ｐを吸引する際に発生する風（空気流）が撮像ユニット２６に当たるので、撮像ユニット２６を空気冷却することができる。
【００４８】
（３）搬送装置１２において、光照射部３４は、撮像ユニット２６における第２吸引孔４２側の端部（上端部）に配置されている。このため、各第２吸引孔４２から連続紙Ｐを吸引する際に発生する風（空気流）によって、特に各第２吸引孔４２から近い位置にある撮像ユニット２６における光照射部３４を、ケース３０を介して効果的に冷却することができる。したがって、発光ダイオード（ＬＥＤ）によって構成された光照射部３４の発熱による寿命の低下を抑制することができる。
（変更例）
なお、上記実施形態は以下のように変更してもよい。
【００４９】
・光照射部３４は、必ずしも撮像ユニット２６における第２吸引孔４２側の端部（上端部）に配置する必要はない。
・各第２吸引孔４２は、必ずしも連続紙Ｐが吸引される方向（例えば、重力方向など）において撮像ユニット２６と対向する必要はない。
【００５０】
・２つの第２吸引孔４２のうちいずれか一方は省略してもよい。
・支持面１９に開口する第２吸引孔４２の数や大きさは任意に変更してもよい。
・支持面１９上の各凹部４０は省略してもよい。
【００５１】
・光照射部３４を支持する支持板３３にケース３０外に露出するようにヒートシンクを設け、このヒートシンクを各第２吸引孔４２に対向するように配置するようにしてもよい。このようにすれば、各第２吸引孔４２から連続紙Ｐを吸引する際に発生する風（空気流）がヒートシンクに当たるので、ヒートシンクを介して光照射部３４を効率よく冷却することができる。
【００５２】
・ケース３０内には、集光レンズ３５を複数配置するようにしてもよい。
・被搬送物は、連続紙Ｐに限定されず、単票紙であってもよい。
・被搬送物は、表面にテクスチャーを有していれば、例えば、布、プラスチックフィルム、金属箔などであってもよい。
【００５３】
・インクジェット式プリンター１１は、シリアルプリンターであってもよいし、ラインプリンターであってもよい。
・上記実施形態において、記録装置は、インク以外の他の流体（液体や、機能材料の粒子が液体に分散又は混合されてなる液状体、ゲルのような流状体（流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【００５４】
・搬送装置は、被搬送物に対して記録処理を行う記録装置に備えられるものに限らず、被搬送物に対して任意の処理を行う各種処理装置に備えられるものであってもよい。
【符号の説明】
【００５５】
１１…記録装置の一例としてのインクジェット式プリンター、１２…搬送装置、１３…記録部の一例としての記録ヘッド、１９…支持面、２２…搬送部を構成する給紙ローラー対、２３…搬送部を構成する排紙ローラー対、２６…検出部の一例としての撮像ユニット、３１…光透過部を構成する検出窓、３２…光透過部を構成する透光ガラス、３４…光照射部、４１…第１吸引孔、４２…第２吸引孔、Ｐ…被搬送物の一例としての連続紙、Ｙ…搬送方向。
【図１】
2014094500.tif 000003
【図２】
2014094500.tif 000004
【図３】
2014094500.tif 000005